(57)【要約】【課題】基板上のコネクタの占有面積とその周囲の作業面積を小さくでき、基板を小型化することができる画像形成装置を提供する。【解決手段】共通基板１を構造の複雑な機種に使用する場合には、コネクタ接点部２のコンタクト挿入穴３に、二列のコンタクトが形成された座側コネクタ８のコンタクト９を挿入して固定することにより、これらのコンタクトを共通基板１上の回路と接続した後、配線１０ａ、１０ｂの端部が接続される、２列にソケットコンタクトが形成されたプラグ側コネクタ１０を座側コネクタ８に嵌合させる。これにより、配線１０ａに接続された各機種に共通の信号線と、配線１０ｂに接続された特定の機種にのみ使用される信号線を共通基板１上の回路に接続することができる。【選択図】図３
2007237409.tif 000002
【特許請求の範囲】
【請求項１】
コネクタを有する回路基板を備えた画像処理装置であって、
上記回路基板が、２列一体型の座側コネクタを固定可能なコネクタ接点部を備え、当該コネクタ接点部の一列には各機種に共通の信号線が配され、他の列には特定の機種にのみ使用される信号線が配されていることを特徴とする画像処理装置。
【請求項２】
請求項１に記載された画像処理装置において、
上記回路基板に固定される座側コネクタのコンタクトが１列であることを特徴とする画像処理装置。
【請求項３】
請求項１に記載された画像処理装置において、
上記回路基板に固定される座側コネクタのコンタクトが２列であることを特徴とする画像処理装置。
【発明の詳細な説明】
【技術分野】
【０００１】
本発明は、モータやセンサなどの配線がコネクタを介して接続される回路基板を備えた画像処理装置に関する。
【背景技術】
【０００２】
基板表面と各種機器の配線とを接続する、基板対電極型のコネクタとして、基板表面に実装された座側コネクタに対して、基板表面と直交する方向に沿ってプラグ側コネクタを挿抜する、いわゆる縦型のコネクタがある。
このような縦型のコネクタでは、プラグ側コネクタ内に収容されたソケットコンタクトに座側コネクタの内奥壁から突出する剛体からなる棒状のコンタクトを挿入して両コンタクトの接触をとることにより、基板に形成された回路と各種機器との接続を行うようにしている（例えば、特許文献１参照）。
【特許文献１】特開２００４−２５３５２３号公報
【０００３】
一方、複写機能、ファクシミリ機能、プリント機能、スキャナ機能等を有する最近のデジタル複合機やファクシミリ装置等の画像処理装置では、モータやセンサなどの配線を基板上の回路に接続するため、上記のような縦型のコネクタを使用しているが、コスト削減のため、装置の構造が異なる２以上の機種について共通の基板を用いることがある。
【０００４】
例えば、非磁性一成分電子写真方式の機種Ａでは、図４（ａ）に示すように、用紙カセット１１、１２にはモータが内蔵されておらず、ピックアップローラをメインモータ１３からの駆動力で動作させるようにしており、このピックアップローラを断続回転させるために電磁クラッチを備えている。また、用紙のリフトには、通常、バネを使用しており、このバネにより用紙を上方に押し上げている。
【０００５】
一方、二成分電子写真方式の機種Ｂは非磁性一成分の機種に比べて機構が複雑になるとともに、センサが増え、図４（ｂ）に示すように、メインモータ２１に加えてトナーボトル回転用モータ２２が設けられるとともに、廃トナーボトルフル検出センサ（図示せず）が設けられる。また、カセット２３、２４内には、それぞれ用紙のピックアップや搬送を行うモータ２５、２６が内蔵されており、さらに、大量給紙用カセットには、用紙リフター用のモータ２７も必要になる。
【０００６】
このように装置の構造が異なる機種に、図４（ｃ）に示すように、共通の基板３０を使用する場合、機種間の仕様の相違が大きくなると、比較的構造の簡単な装置では、信号線が少なくて済むが、モータやセンサの多い、構造の複雑な装置では信号線が多くなり、また、両者に共通な信号線もあるので、従来は、図５に示すような共通基板３０を使用している。
なお、この例では機種Ａの仕様で必要なコンタクトは７極で、機種Ｂの仕様で必要なコンタクトは、機種Ａと同じ７極に加えて、機種Ｂの仕様独自の７極、計１４極が必要なものとする。
【０００７】
図５に示すように、共通基板３０には座側コネクタを挿入するためのコネクタ接点部３１、３２が形成されており、この共通基板３０を機種Ａに使用する場合には、図６に示すように、コネクタ接点部３１のコンタクト挿入穴３３に座側コネクタ３４のコンタクト３５を挿入して固定することにより、これらのコンタクトが共通基板３０上の回路と接続される。
そして、モータやセンサに接続された配線３６の端部が接続されるプラグ側コネクタ３７を座側コネクタ３４に嵌合させることにより、モータやセンサを共通基板３０上の回路に接続することができる。
【０００８】
また、この共通基板３０を機種Ｂに使用する場合には、図７に示すように、コネクタ接点部３１のコンタクト挿入穴３３に座側コネクタ３４のコンタクト３５を挿入して固定するとともに、コネクタ接点部３２のコンタクト挿入穴３８に座側コネクタ３９のコンタクト４０を挿入して固定することにより、これらのコンタクトが共通基板３０上の回路と接続される。
そして、モータやセンサに接続された配線３６、４１の端部が接続されたプラグ側コネクタ３７、４２をそれぞれ座側コネクタ３４、３９に嵌合させることにより、モータやセンサを共通基板３０上の回路に接続することができる。
【発明の開示】
【発明が解決しようとする課題】
【０００９】
機種の異なる画像処理装置のモータやセンサなどの配線を接続する基板として共通基板を使用する場合、上記のように、共通基板に座側コネクタを挿入するためのコネクタ接点部を二つ形成し、簡単な構造の機種では一方のコネクタ接点部にのみ座側コネクタを固定し、複雑な構造の機種では、両者のコネクタ接点部に座側コネクタを固定するようにしている。この場合、基板面積を小さくするためには、これらの座側コネクタを並べて配置したいところであるが、プラグ側コネクタの脱着のための空間確保のため、コネクタの周囲はある程度の距離をおかねばならず、コネクタ接点部３１、３２間に約２ｃｍの間隔が必要となり、基板面積が大きくなってしまうという問題がある。
【００１０】
本発明は、上記の問題に鑑みてなされたもので、基板上のコネクタの占有面積とその周囲の作業面積を小さくでき、基板を小型化することができる画像形成装置を提供することを目的とする。
【課題を解決するための手段】
【００１１】
上述の目的を達成するため、請求項１に係る発明の画像形成装置は、コネクタを有する回路基板を備えた画像処理装置であって、上記回路基板が、２列一体型の座側コネクタを固定可能なコネクタ接点部を備え、当該コネクタ接点部の一列には各機種に共通の信号線が配され、他の列には特定の機種にのみ使用される信号線が配されていることを特徴とする。
【００１２】
また、請求項２に係る発明の画像処理装置は、請求項１に記載された画像処理装置において、上記回路基板に固定される座側コネクタのコンタクトが１列であることを特徴とし、請求項３に係る発明の画像処理装置は、請求項１に記載された画像処理装置において、上記回路基板に固定される座側コネクタのコンタクトが２列であることを特徴とする。
【発明の効果】
【００１３】
請求項１〜３に係る発明の画像処理装置によれば、回路基板が２列一体型の座側コネクタを固定可能なコネクタ接点部を備え、当該コネクタ接点部の一列には各機種に共通の信号線が配され、他の列には特定の機種にのみ使用される信号線が配されており、構造が簡単な機種では、コンタクトが１列である座側コネクタを用い、構造が複雑な機種では、コンタクトが２列である座側コネクタを使用することによって対応することができるので、基板上のコネクタの占有面積とその周囲の作業面積を小さくでき、基板を小型化することができる。
【実施例１】
【００１４】
以下、本発明の画像処理装置の実施例について説明する。
図１は本発明の画像処理装置に使用する共通基板１のコネクタ接点部２の構造を示す図であり、この共通基板１は、図４と同様に、例えば、非磁性一成分電子写真方式の機種Ａと二成分電子写真方式の機種Ｂに共通に使用されるものである。
なお、この実施例でも、上記と同様に、機種Ａの仕様で必要なコンタクトは７極で、機種Ｂの仕様で必要なコンタクトは、機種Ａと同じ７極に加えて、機種Ｂの仕様独自の７極、計１４極が必要なものとする。
【００１５】
図１に示すように、共通基板１には、２列一体型の座側コネクタを挿入可能なコネクタ接点部２が形成されており、このコネクタ接点部２は２列のコンタクト挿入穴３を備え、コンタクト挿入穴３の一方の列３ａは機種Ａ、Ｂに共通に使用される回路に接続されるようになっており、他方の列３ｂは機種Ｂの独自の仕様の回路に接続されるようになっている。
【００１６】
この共通基板１を機種Ａに使用する場合には、図２に示すように、コネクタ接点部２のコンタクト挿入穴３の一列３ａにのみ、一列のみコンタクトが形成された座側コネクタ４のコンタクト５を挿入して固定することにより、これらのコンタクトを共通基板１上の回路と接続する。
そして、図４（ａ）に示すメインモータ１３及び機種Ａ、Ｂ共通に使用されるセンサ等に接続された配線６の端部が接続される、プラグ側コネクタ７を座側コネクタ４に嵌合させることにより、モータやセンサを共通基板１上の回路に接続することができる。
【００１７】
一方、この共通基板１を機種Ｂに使用する場合には、図３に示すように、コネクタ接点部２のコンタクト挿入穴３に、二列のコンタクトが形成された座側コネクタ８のコンタクト９を挿入して固定することにより、これらのコンタクトを共通基板１上の回路と接続する。
そして、モータやセンサに接続された配線１０ａ、１０ｂの端部が接続される、２列にソケットコンタクトが形成されたプラグ側コネクタ１０を座側コネクタ８に嵌合させる。これにより、図４（ｂ）に示す、メインモータ２１及び機種Ａ、Ｂ共通に使用されるセンサを配線１０ａに接続し、トナーボトル回転用のモータ２２、用紙ピックアップ・搬送用のモータ２５、２６、リフター用モータ２７及び廃トナーボトルフル検出センサ等の機種Ｂ独自のセンサを配線１０ｂに接続しておけば、これらのモータやセンサを共通基板１上の回路に接続することができる。
【００１８】
以上のように、共通基板１が２列一体型の座側コネクタを固定可能なコネクタ接点部２を備え、このコネクタ接点部２の一列には各機種に共通の信号線が配され、他の列には特定の機種にのみ使用される信号線が配されているので、構造が簡単な機種では、コンタクトが１列である座側コネクタ４を用い、構造が複雑な機種では、コンタクトが２列である座側コネクタ１０を使用することによって一つの共通基板で複数の機種に対応することができ、基板上のコネクタの占有面積とその周囲の作業面積を小さくすることができる。
【００１９】
なお、上記の実施例では、機種Ａの仕様で必要なコンタクトは７極で、機種Ｂの仕様で必要なコンタクトは、機種Ａと同じ７極に加えて、機種Ｂの仕様独自の７極、計１４極としたが、これらの極数は一例であり、機種Ａの仕様で必要なコンタクトは１０極、機種Ｂの仕様で必要なコンタクトは２０極等、任意の極数とすることができ、また、必要に応じて、２列一体型の座側コネクタを固定可能なコネクタ接点部を複数個設けるようにすることも可能である。
【図面の簡単な説明】
【００２０】
【図１】本発明の画像処理装置の共通基板に形成されたコネクタ接点部を示す図である。
【図２】共通基板を構造の簡単な機種に使用する場合のコンタクト構造を示す図である。
【図３】共通基板を構造の複雑な機種に使用する場合のコンタクト構造を示す図である。
【図４】複数の機種の画像処理装置に共通の回路基板を使用する場合の概念を説明するための図である。
【図５】従来の共通基板に形成されたコネクタ接点部を示す図である。
【図６】共通基板を構造の簡単な機種に使用する場合の従来のコンタクト構造を示す図である。
【図７】共通基板を構造の複雑な機種に使用する場合の従来のコンタクト構造を示す図である。
【符号の説明】
【００２１】
１  共通基板
２  コネクタ接点部
３  コンタクト挿入穴
４、８  座側コネクタ
５、９  コンタクト
６、１０ａ、１０ｂ  配線
７、１０  プラグ側コネクタ
【図１】
2007237409.tif 000003
【図２】
2007237409.tif 000004
【図３】
2007237409.tif 000005
【図４】
2007237409.tif 000006
【図５】
2007237409.tif 000007
【図６】
2007237409.tif 000008
【図７】
2007237409.tif 000009